(57)【要約】【課題】  代表静止画像生成が終了するまで待たされて、使用者が不便を感じるという問題を解決する。【解決手段】  情報記録再生装置10は、コンテンツデータを記録媒体Ｍに記録するコンテンツ記録手段(記録処理部12)と、コンテンツデータを走査すると共に代表静止画像を生成する代表静止画像生成手段(後処理用アプリケーションソフトウェア20)と、生成した代表静止画像を記憶する代表静止画像記憶手段(記憶領域Ma)と、代表静止画像の生成の中断および再開を制御する生成制御手段22と、代表静止画像の生成が中断される時に、コンテンツデータにおける中断位置を示す中断位置情報を記憶する中断位置情報記憶手段(記憶領域Mb)と、代表静止画像の生成が再開される時に、中断位置情報に基づいて代表静止画像の生成を再開する再開手段と、を有する。【選択図】  図１
2005175905.tif 000002
【特許請求の範囲】
【請求項１】
コンテンツデータを記録媒体に記録するコンテンツ記録手段と、
前記コンテンツデータに基づいて代表静止画像を生成する代表静止画像生成手段と、
生成した前記代表静止画像を記憶する代表静止画像記憶手段と、
前記代表静止画像の生成の中断および再開を制御する生成制御手段と、
前記代表静止画像の生成が中断される時に、前記コンテンツデータにおける中断位置を示す中断位置情報を記憶する中断位置情報記憶手段と、
前記代表静止画像の生成が再開される時に、前記中断位置情報に基づいて前記代表静止画像の生成を再開する再開手段と、
を有することを特徴とする情報記録再生装置。
【請求項２】
記録再生を制御する中央演算処理装置と、
前記中央演算処理装置にかかる負荷を監視する負荷監視部と、を更に有し、
前記負荷が所定以下である時に、前記代表静止画像の生成を行うことを特徴とする請求項１に記載の情報記録再生装置。
【請求項３】
前記中断位置情報は、前記代表静止画像の生成が中断される時に、前記コンテンツデータの走査が行われている前記記録手段におけるアドレスにより表現されていることを特徴とする請求項１又は請求項２に記載の情報記録再生装置。
【請求項４】
コンテンツデータを記録媒体に記録する工程と、
前記コンテンツデータを走査すると共に代表静止画像を生成する工程と、
生成した前記代表静止画像を記憶する工程と、
前記代表静止画像の生成の中断および再開を制御する工程と、
前記代表静止画像の生成が中断される時に、前記コンテンツデータにおける中断位置を示す中断位置情報を記憶する工程と、
前記代表静止画像の生成が再開される時に、前記中断位置情報に基づいて前記代表静止画像の生成を再開する工程と、
を含むことを特徴とする情報記録再生方法。
【請求項５】
前記代表静止画像を生成する工程では、コンテンツデータの記録再生を制御する中央演算処理装置にかかる負荷を負荷監視部に監視させ、前記負荷が所定以下であるときに、前記代表静止画像の生成を行うことを特徴とする請求項４に記載の情報記録再生方法。
【請求項６】
コンテンツデータが記録されたファイルにおけるアドレスにより、前記中断位置情報を表現することを特徴とする請求項４又は請求項５に記載の情報記録再生方法。
【請求項７】
コンピュータに、
コンテンツデータを記録媒体に記録するコンテンツ記録手順と、
前記コンテンツデータを走査すると共に代表静止画像を生成する代表静止画像生成手順と、
生成した前記代表静止画像を記憶する代表静止画像記憶手順と、
前記代表静止画像の生成の中断および再開を制御する生成制御手順と、
前記代表静止画像の生成が中断される時に、前記コンテンツデータにおける中断位置を示す中断位置情報を記憶する中断位置情報記憶手順と、
前記代表静止画像の生成が再開される時に、前記中断位置情報に基づいて前記代表静止画像の生成を再開する再開手順と、
を実行させることを特徴とするプログラム。
【請求項８】
コンピュータに、
コンテンツデータを記録媒体に記録するコンテンツ記録手順と、
前記コンテンツデータを走査すると共に代表静止画像を生成する代表静止画像生成手順と、
生成した前記代表静止画像を記憶する代表静止画像記憶手順と、
前記代表静止画像の生成の中断および再開を制御する生成制御手順と、
前記代表静止画像の生成が中断される時に、前記コンテンツデータにおける中断位置を示す中断位置情報を記憶する中断位置情報記憶手順と、
前記代表静止画像の生成が再開される時に、前記中断位置情報に基づいて前記代表静止画像の生成を再開する再開手順と、を実行させるプログラムを記録したことを特徴とする記録媒体。
【発明の詳細な説明】
【技術分野】
【０００１】
本発明は、情報記録再生装置、情報記録再生方法、プログラムおよび記録媒体に関する。
【背景技術】
【０００２】
ＤＶＤ（Digital Versatile Disk）レコーダやハードディスクレコーダ等の記録再生装置では大容量の動画像データの記録再生を行うことができ、例えば長時間の映画等の記録再生に広く利用されている。このような大容量の動画像データを記録したＤＶＤ、ハードディスク等では、その動画像データのうち視聴したい部分に容易にランダムアクセスして再生可能とすることが望まれる。これにより、使用者はＡＶ（Audio Visual）機器の使い易さを体感できることとなる。
【０００３】
このため、従来は使用者が手作業で記録中の動画像データにチャプタを付加的に記録し、このチャプタを目安に動画像データをチャプタごとに選択的に再生可能としていた。ところが、このチャプタの記録作業が使用者にとって煩わしく、このため、一つの動画像データにおける映像シーンのシーン切り換え後の動画像から代表静止画像としてのサムネイル画像を作成する発明が開示されている（例えば、特許文献１参照）。
【特許文献１】特開平１１−２８４９４８号公報
【発明の開示】
【発明が解決しようとする課題】
【０００４】
しかしながら、前記のように代表静止画像画像を動画像より作成するには、動画像データを検索して各映像シーンの静止画像を取り出していかなければならない。特に、映像シーンのシーン切り換えを検出して代表静止画像を作成するという作業では、複雑な処理が必要であり、結果的に代表静止画像生成終了までに長時間を要したため、使用者は代表静止画像生成が終了するまで待たされて、不便を感じるという問題があった。
【０００５】
本発明が解決しようとする課題としては、上述した手作業によるチャプタの記録作業が煩わしいという問題の解決や、代表静止画像の生成のために膨大で複雑な演算を行わせる必要があるという問題の解決、さらにはこの膨大な演算による代表静止画像生成速度の遅延という問題の解決などが、それぞれ一例として挙げられる。
【課題を解決するための手段】
【０００６】
請求項１に記載の情報記録再生装置は、コンテンツデータを記録媒体に記録するコンテンツ記録手段と、前記コンテンツデータを走査すると共に代表静止画像を生成する代表静止画像生成手段と、生成した前記代表静止画像を記憶する代表静止画像記憶手段と、前記代表静止画像の生成の中断および再開を制御する生成制御手段と、前記代表静止画像の生成が中断される時に、前記コンテンツデータにおける中断位置を示す中断位置情報を記憶する中断位置情報記憶手段と、前記代表静止画像の生成が再開される時に、前記中断位置情報に基づいて前記代表静止画像の生成を再開する再開手段と、を有することを特徴とする。
【０００７】
また、請求項４に記載の情報記録再生方法は、コンテンツデータを記録媒体に記録する工程と、前記コンテンツデータを走査すると共に代表静止画像を生成する工程と、生成した前記代表静止画像を記憶する工程と、前記代表静止画像の生成の中断および再開を制御する工程と、前記代表静止画像の生成が中断される時に、前記コンテンツデータにおける中断位置を示す中断位置情報を記憶する工程と、前記代表静止画像の生成が再開される時に、前記中断位置情報に基づいて前記代表静止画像の生成を再開する工程と、を含むことを特徴とする。
【０００８】
また、請求項７に記載のプログラムは、コンピュータに、コンテンツデータを記録媒体に記録するコンテンツ記録手順と、前記コンテンツデータを走査すると共に代表静止画像を生成する代表静止画像生成手順と、生成した前記代表静止画像を記憶する代表静止画像記憶手順と、前記代表静止画像の生成の中断および再開を制御する生成制御手順と、前記代表静止画像の生成が中断される時に、前記コンテンツデータにおける中断位置を示す中断位置情報を記憶する中断位置情報記憶手順と、前記代表静止画像の生成が再開される時に、前記中断位置情報に基づいて前記代表静止画像の生成を再開する再開手順と、を実行させることを特徴とする。
【０００９】
また、請求項８に記載の記録媒体は、コンピュータに、コンテンツデータを記録媒体に記録するコンテンツ記録手順と、前記コンテンツデータを走査すると共に代表静止画像を生成する代表静止画像生成手順と、生成した前記代表静止画像を記憶する代表静止画像記憶手順と、前記代表静止画像の生成の中断および再開を制御する生成制御手順と、前記代表静止画像の生成が中断される時に、前記コンテンツデータにおける中断位置を示す中断位置情報を記憶する中断位置情報記憶手順と、前記代表静止画像の生成が再開される時に、前記中断位置情報に基づいて前記代表静止画像の生成を再開する再開手順と、を実行させるプログラムを記録したことを特徴とする。
【発明を実施するための最良の形態】
【００１０】
以下、本発明の実施の形態について図面を参照して説明する。
図１は、本実施の形態に係る情報記録再生装置を説明する機能ブロック図である。
図１に示すように、本実施の形態に係る情報記録再生装置１０は、信号受信部１１と、記録処理部１２と、記録再生部１３と、表示部１４と、再生処理部１５とを有する。
そして、情報記録再生装置１０は、記録された動画等のコンテンツデータに含まれる複数の映像シーンのうちの特定の映像シーンを呼び出すことができる複数のチャプタを付け、各チャプタの映像シーンの内容を簡易表示する複数の代表静止画像を、コンテンツデータの中の映像シーンの中の静止画像（例えば、任意の１フレームの画像）を取り出すことによって生成する代表静止画像生成手段を有しているものである。なお、この代表静止画像は、上記映像シーンの中の静止画像を圧縮・縮小して小画面に表示されるサムネイルとするとよい。
【００１１】
図１に示す情報記録再生装置１０の信号受信部１１は、記録処理部１２を介して記録再生部１３に接続され、表示部１４は再生処理部１５を介して記録再生部１３に接続され、ＣＰＵ（中央演算処理装置）１６は、記録処理部１２、及び再生処理部１５を介して記録再生部１３に接続される。
そして、信号受信部１１は、コンテンツデータを情報記録再生装置１０の外部から受信して、記録処理部１２へ出力する。
記録処理部１２は、この入力されたコンテンツデータを記録に適するデータとなるように処理を行い、記録再生部１３へ出力し、記録媒体に記録させる。
再生処理部１５は、記録再生部１３により記録媒体に記録されたデータを読み出し、再生に適するデータとなるように処理を行う。
表示部１４は、再生処理部１５で処理したコンテンツデータに含まれる画像データや記録媒体の固有情報を示すテキスト等を、画面上で視認できるように表示する。
ＣＰＵ１６は、記録処理部１２、記録再生部１３および再生処理部１５を制御、管理する。
なお、記録媒体としてはデジタル信号の記録、再生が行えるＤＶＤやハードディスク等が用いられる。
【００１２】
図２は図１に示した情報記録再生装置１０の各機能ブロックと各処理を行うアプリケーションソフトウエアとの関連を示す説明図である。
ＣＰＵ１６は、記録用アプリケーションソフトウエア（記録アプリ）１８を用いて記録処理部１２を制御し、コンテンツデータを記録媒体Ｍに記録する。
また、ＣＰＵ１６は、再生用アプリケーションソフトウエア（再生アプリ）１９を用いて再生処理部１５を制御し、記録媒体Ｍに記録されたコンテンツデータを再生する。
また、ＣＰＵ１６は、代表静止画像生成手段である後処理用アプリケーションソフトウエア（後処理アプリ）２０を介して、例えばコンテンツデータを先頭から走査するなどし、既知の手段等により代表静止画像とすべき、映像シーンのシーン切り換え後の動画像などを検出することにより代表静止画像を生成し、記録媒体Ｍ内の記憶領域Ｍａ（代表静止画像記憶手段）に記録する。
また、ＣＰＵ１６は、中断位置情報記憶手段を制御して、代表静止画像の生成が中断される時に、コンテンツデータにおける中断位置を示す中断位置情報を記録媒体Ｍ内の記憶領域Ｍｂ（中断位置情報記憶手段）に記録する。ここで中断位置とは例えば走査が中断された位置のことであり、中断位置情報としては例えば記録媒体Ｍにおけるアドレスなどが考えられる。
さらに、ＣＰＵ１６は、再開手段を制御して、代表静止画像の生成が再開される時に、中断位置情報に基づいて代表静止画像の生成を再開する。ここで再開とは、例えばコンテンツデータ上で既に走査された部分以外の部分、すなわちサムネイル検出のための走査がまだ行われていない部分の走査を、前回走査が中断した位置、すなわち中断位置情報によって示される中断位置から開始することなどである。
さらに、ＣＰＵ１６は、ＣＰＵ監視用アプリケーションソフトウエア（ＣＰＵ監視アプリ）２１を用いて、ＣＰＵ１６の空き時間を調査する。
負荷監視部２４は、ＣＰＵ１６にかかる負荷が所定の閾値以上になった場合や、以下になった場合に、監視用アプリケーションソフトウェア２１に通知する。そして、この通知を受けることにより、ＣＰＵ監視用アプリケーションソフトウェア２１は生成制御手段２２として機能するＣＰＵ１６に対し、割り込み通知を行うことにより、後処理用アプリケーションソフトウェア２０の停止や再開を働きかける。
例えば図示しない入力手段（例えば、使用者が操作するリモコンからの光信号を受信する図示しない受光部など）からの信号を受けて、コンテンツデータの再生や停止を指示された場合などにＣＰＵ１６にかかる負荷が変化し、その結果、ＣＰＵ１６は、生成制御手段２２として機能し、代表静止画像の生成の中断および再開が制御される。
なお、ＣＰＵ１６は、その他の任意のアプリケーションソフトウエアも実行することもできる。
【００１３】
次に、本実施の形態に係る情報記録再生方法を図３〜図５を用いて説明する。
本実施の形態に係る情報記録再生方法は、映像シーンの内容を簡易表示する代表静止画像の生成は、動画等のコンテンツデータの録画中などにリアルタイムに行わずに、コンテンツデータの記録（録画）が終了した後に、別途、後処理として行うものである。
【００１４】
図３は、図１に示した情報記録再生装置１０を用いた情報記録再生方法の各処理工程の手順を示すフロー図である。
図３において、まず、信号受信部１１がコンテンツデータを受信すると（Ｓ１）、記録処理部１２が記録用アプリケーションソフトウェア１８を用いて記録媒体Ｍにコンテンツデータ（例えば、ＭＰＥＧ−２ＴＳ（トランスポートストリーム）のデータ）を記録する（Ｓ２）。同時に、後処理未完のフラグをセットする（例えば、このＭＰＥＧ−２ＴＳのデータの記録を開始し、このときフラグファイルを生成し、このフラグファイルのデータを「０」とする）（Ｓ３）。
【００１５】
こうして、コンテンツデータの記録（録画）を行い、この記録を終了すると（Ｓ４）、その終了通知を受けて、ＣＰＵ監視用アプリケーションソフトウェア２１がＣＰＵ１６の空き時間を監視する（Ｓ５）。ＣＰＵ１６は、空き時間があるときアイドル（処理待ち）通知を行う（Ｓ６）。この通知を受けて、ＣＰＵ監視用アプリケーションソフトウェア２１は後処理用アプリケーションソフトウェア２０を起動する（Ｓ７）。
なお、空き時間がなくなったときには、後処理用アプリケーションソフトウェア２０による処理を中断させ、再び空き時間ができたときに後処理を再開させる。
【００１６】
後処理用アプリケーションソフトウェア２０は、前記起動時に後処理位置を確認した上で（Ｓ８）、コンテンツデータを走査してチャプタ位置の検索、代表静止画像生成などの後処理を開始する（Ｓ９）。また、かかる処理を後処理終了まで繰り返し実行し（Ｓ１０）、コンテンツデータを全て処理したときに後処理を完了し（Ｓ１１）、完了フラグをセットする。このようにして、後処理によって、代表静止画像を生成して、コンテンツデータ中の対応する部分と共に記録媒体Ｍ内の記憶領域Ｍａに記憶する。
【００１７】
図４は、後処理（代表静止画像の生成等）を中断し、中断位置を示す中断位置情報を記録する工程の手順を示すフロー図である。
後処理中に、使用者が図示しない入力手段であるリモコン等を用いて、コンテンツデータの再生指示をする（Ｓ２１）と、以下に詳述する手順で、記録媒体Ｍに記録されたコンテンツデータが再生され、後処理（代表静止画像の生成等）の中断が行われ、中断位置情報が記録される。
すなわち、使用者がコンテンツデータの再生指示（Ｓ２１）を出したことによる割り込みが発生すると、再生用アプリケーションソフトウェアが起動され、ＣＰＵ監視用アプリケーションソフトウェア２１はＣＰＵ１６にかかる負荷の上昇を検知し（Ｓ２２）、ＣＰＵ監視用アプリケーションソフトウェア２１に割り込み通知を発することにより、後処理中断命令が後処理用アプリケーションソフトウェア２０へ送られる（Ｓ２３）。
【００１８】
後処理用アプリケーションソフトウェア２０は後処理の中断位置情報を記録媒体Ｍ内の記憶領域Ｍｂ（中断位置情報記憶手段）に記録するとともに（Ｓ２４）、ＣＰＵ監視用アプリケーションソフトウェア２１から再開の指示があるまで、後処理を中断する（Ｓ２５）。
この後処理中断により、再生処理部１５は、再生用アプリケーションソフトウェア１９の実行により、後処理中断のフラグを確認し（Ｓ２６）、コンテンツデータの再生を行う。
なお、後処理中断フラグは、表示部に表示する処理状況に応じた情報を表示する時の状況把握用としても用いられる。
また、再生処理部１５は、チャプタ位置検索時の処理状況に応じた情報を表示部１４に表示させる（Ｓ２７）。
【００１９】
表示部１４に表示する処理状況に応じた情報としては、例えば、図３のＳ４〜Ｓ７の処理工程３０１では図４に示すようなメッセージＡ、図３のＳ８〜Ｓ１０の処理工程３０２では図４に示すようなメッセージＢ、図３のＳ１１の処理工程３０３では図４に示すようなメッセージＣを表示する。
【００２０】
このようにして、チャプタ位置の検索や代表静止画像生成などの後処理中に、コンテンツデータの再生による割り込みがあったとき、その後処理が中断される。
【００２１】
図５は、前記後処理の中断後、中断位置情報に基づいて、後処理（代表静止画像の生成等）を再開する工程の手順を示すフロー図である。
この後処理の再開は、ＣＰＵ１６がアイドル状態にあるか否かにより決まる。いま、コンテンツデータの記録等が行われておらず、ＣＰＵ１６がアイドル状態であるとき、このアイドル情報がＣＰＵ監視用アプリケーションソフトウェア２１へ送られる（Ｓ３１）。
【００２２】
このため、ＣＰＵ監視用アプリケーションソフトウェア２１は、後処理用アプリケーションソフトウェア２０を再起動する（Ｓ３２）。
そして、後処理用アプリケーションソフトウェア２０は、前記中断された後処理の中断位置情報を記録媒体Ｍ内の記憶領域Ｍｂから検索して確認し（Ｓ３３）、後処理（代表静止画像の生成等）を再開する（Ｓ３４）。
こうして、再び後処理が実行され（Ｓ３５）、この処理は後処理終了まで繰り返し実行される（Ｓ３６）。そして、コンテンツデータを全て処理したとき、この後処理が完了する。
【００２３】
なお、使用者によるコンテンツの再生指示およびコンテンツの再生は、記録処理部１２が記録媒体Ｍにこのコンテンツを記録した後であれば、いつでも可能である。このとき、再生用アプリケーションソフトウェア１９は、フラグ情報を読み出し、その上で表示部１４に対し、図４のＡ，Ｂ，Ｃに示すような後処理の進捗状況を報告するメッセージを表示し、終了しているところまでの代表静止画像を提示するなどの処理を行う。
【００２４】
このように、コンテンツデータの記録処理後にバックグラウンド動作によって代表静止画像を生成し、この代表静止画像の生成処理が中断された場合には、その中断位置を記憶しておくことで、その中断位置から代表静止画像の生成処理を再開できる。
【００２５】
映像のシーン検出等の処理を行うことで、チャプタマーク付けの自動化をする場合には、シーン検出などの膨大なデータ処理を行う必要があるが、本実施の形態によれば、多くの時間を要するこのデータ処理を後回しにすることで、使用者のストレスを軽減できる。また、そのデータ処理をＣＰＵ１６の空き時間を利用して後処理で実行するので、通常の使用者操作の邪魔にならない。
【００２６】
また、ＣＰＵ１６の空き時間がなくなった旨の通知を受けると、更新される進捗状況のフラグを設けることで、後処理が完全に終了していなくても、使用者は最低限の操作を行うことが出来る。そして、作業の進捗状況を確認し、終了時間の予想がつくので、使用者の利便性を高めることができる。
【００２７】
なお、後処理用アプリケーションソフトウェア２０の起動は、ＣＰＵ監視用アプリケーションソフトウェア２１の動的な空き時間監視によって行われるが、使用者の操作が少ないと考えられる深夜から早朝にかけての時間帯、あるいは機器の電源がスタンバイ状態のとき、使用者の操作傾向を学習して使用者操作が少ないと判断された時間帯などに、定時的に後処理を行わせることもできる。これにより、後処理を行う場合に、ＣＰＵ１６の空き時間監視にかかる恒常的な負荷を軽減できる。
【００２８】
また、後処理の進捗状況を逐次更新せずに、完全に終了したとき初めて「後処理完了」のフラグをセットするようにしてもよい。この場合には、フラグ領域が１ビットで済むとともに、後処理の途中段階を使用者に提示できない性質の作業にも対応できる。
【００２９】
また、ファイル総サイズと中断時のファイルにおけるポインタ位置を比較することで、例えば後処理終了間際に中断した場合に、「もう少しで終わります。続けませんか？」というようなメッセージを表示することもできる。
【００３０】
なお、代表静止画像生成に用いる動画コンテンツデータの走査方法は、この動画コンテンツデータの先頭から走査するものだけでなく、後方から走査するもの等も考えられる。
【００３１】
また、中断位置情報には、記録媒体Ｍにおけるアドレス以外にも、動画コンテンツデータの先頭からの経過時間情報や、チャプタ開始時点からの相対的時間経過情報、さらにはコンテンツに含まれる静止画像情報（１ピクチャー等）の先頭からの枚数情報等が考えられる。
【００３２】
また、代表静止画像の生成は、負荷が所定値以下のとき以外にも、使用者の操作が一定時間行われなかったときにも、可能である。
【００３３】
以上詳述したように、本発明に係る情報記録再生装置１０は、コンテンツデータを記録媒体Ｍに記録するコンテンツ記録手段（記録処理部１２）と、コンテンツデータを走査すると共に代表静止画像を生成する代表静止画像生成手段（後処理用アプリケーションソフトウェア２０）と、生成した代表静止画像を記憶する代表静止画像記憶手段（記憶領域Ｍａ）と、代表静止画像の生成の中断および再開を制御する生成制御手段２２と、代表静止画像の生成が中断される時に、コンテンツデータにおける中断位置を示す中断位置情報を記憶する中断位置情報記憶手段（記憶領域Ｍｂ）と、代表静止画像の生成が再開される時に、中断位置情報に基づいて代表静止画像の生成を再開する再開手段と、を有する。
【００３４】
これにより、時間のかかる代表静止画像生成処理等を使用者が操作していないようなＣＰＵの空き時間に継続的に実施する場合や、代表静止画像生成処理を使用者が中断することが可能な場合において、その中断位置を記憶しておくことで、代表静止画像生成処理を前回までの中断位置から再開することができる。
従って、代表静止画像を記録媒体上の動画コンテンツデータのシーン切り換えタイミングや一定時間ごとに自動付与できる。
【図面の簡単な説明】
【００３５】
【図１】本発明の実施の形態に係る情報記録再生装置を示すブロック図である。
【図２】本発明の実施の形態に係る情報記録再生装置の各機能ブロックと各処理を行うソフトウエアとの関連を示す説明図である。
【図３】本発明の実施の形態に係る情報記録再生方法における情報記録再生処理の手順を示すフロー図である。
【図４】本発明の実施の形態に係る情報記録再生方法における後処理の中断処理手順を示すフロー図である。
【図５】本発明の実施の形態に係る情報記録再生方法における後処理中断時からの後処理再開手順を示すフロー図である。
【符号の説明】
【００３６】
１０  情報記録再生装置
１１  信号受信部
１２  記録処理部（コンテンツ記録手段）
１３  記録再生部
１４  表示部
１５  再生処理部
１６  ＣＰＵ（中央演算処理装置）
１８  記録用アプリケーションソフトウェア
１９  再生用アプリケーションソフトウェア
２０  後処理用アプリケーションソフトウェア（代表静止画像生成手段）
２１  ＣＰＵ監視用アプリケーションソフトウェア
２２  生成制御手段
２４  負荷監視部
Ｍ    記録媒体
Ｍａ  記録領域（代表静止画像記憶手段）
Ｍｂ  記録領域（中断位置情報記憶手段）
【図１】
2005175905.tif 000003
【図２】
2005175905.tif 000004
【図３】
2005175905.tif 000005
【図４】
2005175905.tif 000006
【図５】
2005175905.tif 000007